(57)【要約】【課題】光制御用のウィンドウフィルムの内部および端部で色の違いが目立たないようにする。【解決手段】ウィンドウフィルム１は、着色された第１領域１０と、第１領域よりも端部側に配置され、第１領域の色と同系色相の色で、かつ第１領域の色よりも明度および彩度の少なくとも一方が高い色で着色された第２領域１１と、を備える。【選択図】図１
2015040993.tif 000002
【特許請求の範囲】
【請求項１】
着色された第１領域と、
前記第１領域よりも端部側に配置され、前記第１領域の色と同系色相の色で、かつ前記第１領域の色よりも明度および彩度の少なくとも一方が高い色で着色された第２領域と、を備える、光制御用のウィンドウフィルム。
【請求項２】
前記第２領域は、ウィンドウフィルムの端部に接するように配置される請求項１に記載のウィンドウフィルム。
【請求項３】
前記第２領域は、ウィンドウフィルムの端部よりも内側に配置され、
前記第２領域と前記端部との間に配置される無着色の第３領域を備える請求項１に記載のウィンドウフィルム。
【請求項４】
前記第２領域は、前記第１領域に近接した側から離れるに従って明度および彩度の少なくとも一方が連続的または段階的に高くなる請求項１乃至３のいずれかに記載のウィンドウフィルム。
【請求項５】
前記第１領域は、前記第２領域に近づくに従って明度および彩度の少なくとも一方が連続的または段階的に高くなる請求項１乃至４のいずれかに記載のウィンドウフィルム。
【請求項６】
前記第１領域と前記第２領域との間に配置され、前記第１領域および前記第２領域の色と同系色相の色で、かつ前記第１領域の色よりも明度および彩度の少なくとも一方が高く、かつ前記第２領域の色よりも明度および彩度の少なくとも一方が低い色で着色された第４領域を備える請求項１乃至５のいずれかに記載のウィンドウフィルム。
【請求項７】
前記第２領域は、ウィンドウフィルムの全面積の２％以上である請求項１乃至６のいずれかに記載のウィンドウフィルム。
【請求項８】
前記第２領域は、ウィンドウフィルムの全面積の５０％以下である請求項１乃至７のいずれかに記載のウィンドウフィルム。
【請求項９】
前記第１領域および前記第２領域の明度および彩度の少なくとも一方の値の差は、１以上である請求項１乃至８のいずれかに記載のウィンドウフィルム。
【請求項１０】
前記第１領域および前記第２領域の色は、ウィンドウフィルムに隣接配置される部材の色と同系色相である請求項１乃至９のいずれかに記載のウィンドウフィルム。
【請求項１１】
請求項１乃至１０のいずれかに記載のウィンドウフィルムが積層された窓。
【発明の詳細な説明】
【技術分野】
【０００１】
本発明は、窓に積層することが可能な光制御用のウィンドウフィルムと、ウィンドウフィルムが積層された窓とに関する。
【背景技術】
【０００２】
窓から入射された太陽光を、屋内照明に有効利用する種々のアイデアが提案されている。自然光をできるだけ室内に採り込んで室内照明に利用することで、室内の照明光の使用時間を削減でき、また照明光の照明強度も弱めることができることから、二酸化炭素の消費量とエネルギー消費の削減が図れる。このような背景から、採光効率を向上させることを目的としたウィンドウフィルム（特許文献１参照）や、太陽光に含まれる赤外線を選択的に遮蔽することを目的としたウィンドウフィルム（特許文献２参照）が提案されている。
【先行技術文献】
【特許文献】
【０００３】
【特許文献１】特開２０１２−２５５９５１号公報
【特許文献２】特開２０１３−８２２１１号公報
【発明の概要】
【発明が解決しようとする課題】
【０００４】
ウィンドウフィルムに採光機能や熱線遮蔽機能等の光制御機能を持たせるには、ウィンドウフィルムの一部または全体に各機能を発揮させる材料を含める必要があり、この材料によって、ウィンドウフィルムが何らかの色で着色されてしまう場合がある。よって、ウィンドウフィルムを窓や採光具に積層したときに、ウィンドウフィルムとその下地の窓や採光具との境界がウィンドウフィルムの色により目立ってしまう。
【０００５】
また、ウィンドウフィルムを窓や採光具の全面に積層した場合も、ウィンドウフィルムに隣接配置される壁材の色との違いにより、ウィンドウフィルムの縁が強調されてしまう。
【０００６】
このように、従来のウィンドウフィルムは、外観を損ねるおそれがあるという課題があった。
【０００７】
本発明は、このような課題を解決するためになされたものであり、その目的は、ウィンドウフィルムとその周辺部材との境界が目立たないようにした光制御用のウィンドウフィルムおよび窓を提供することにある。
【課題を解決するための手段】
【０００８】
上記の課題を解決するために、本発明の一態様では、着色された第１領域と、
前記第１領域よりも端部側に配置され、前記第１領域の色と同系色相の色で、かつ前記第１領域の色よりも明度および彩度の少なくとも一方が高い色で着色された第２領域と、を備える光制御用のウィンドウフィルムが提供される。
【０００９】
前記第２領域は、ウィンドウフィルムの端部に接するように配置されてもよい。
【００１０】
前記第２領域は、ウィンドウフィルムの端部よりも内側に配置され、
前記第２領域と前記端部との間に配置される無着色の第３領域を備えていてもよい。
【００１１】
前記第２領域は、前記第１領域に近接した側から離れるに従って明度および彩度の少なくとも一方が連続的または段階的に高くなるようにしてもよい。
【００１２】
前記第１領域は、前記第２領域に近づくに従って明度および彩度の少なくとも一方が連続的または段階的に高くなるようにしてもよい。
【００１３】
前記第１領域と前記第２領域との間に配置され、前記第１領域および前記第２領域の色と同系色相の色で、かつ前記第１領域の色よりも明度および彩度の少なくとも一方が高く、かつ前記第２領域の色よりも明度および彩度の少なくとも一方が低い色で着色された第４領域を備えてもよい。
【００１４】
前記第２領域は、ウィンドウフィルムの全面積の２％以上であってもよい。
【００１５】
前記第２領域は、ウィンドウフィルムの全面積の５０％以下であってもよい。
【００１６】
前記第１領域および前記第２領域の明度および彩度の少なくとも一方の値の差は、１以上であってもよい。
【００１７】
前記第１領域および前記第２領域の色は、ウィンドウフィルムに隣接配置される部材の色と同系色相であってもよい。
【００１８】
請求項１乃至１０のいずれかに記載のウィンドウフィルムが積層された窓が構成されてもよい。
【発明の効果】
【００１９】
本発明によれば、光制御用のウィンドウフィルムとその周辺部材との境界を目立たないようにすることができる。
【図面の簡単な説明】
【００２０】
【図１】本発明の本実施形態に係るウィンドウフィルム１の断面構造を示す図。
【図２】第１領域１０と第２領域１１とで、ルーバー部９の断面形状を変える例を示す断面図。
【図３】第１領域１０と第２領域１１とで、ルーバー部９の第２方向Ｙの高さを相違させる例を示す断面図。
【図４】本実施形態に係るウィンドウフィルム１の平面図。
【図５】第２領域１１をウィンドウフィルム１の端部よりも少し内側に配置する例を示す平面図。
【図６】第２領域１１内のルーバー部９の第１方向Ｘにおける間隔を徐々に変化させる例を示す断面図。
【図７】第２領域１１内のルーバー部９の深さ方向（第２方向Ｙ）の長さを徐々に変化させる例を示す断面図。
【図８】第１領域１０と第２領域１１との間にさらに第４領域１３を設けた例を示す平面図。
【図９】第１変形例に係るウィンドウフィルム１の断面構造を示す図。
【図１０】第２変形例に係るウィンドウフィルム１の断面構造を示す図。
【発明を実施するための形態】
【００２１】
以下、本発明の実施の形態について、詳細に説明する。
図１は本発明の本実施形態に係る光制御用のウィンドウフィルム１の断面構造を示す図である。図１に示すように、本実施形態に係る光制御用のウィンドウフィルム１は、例えば窓や採光具２に積層して用いられる。本実施形態に係る光制御用のウィンドウフィルム１は、対向する２つの表面とこれらの２つの表面の間に配置された光制御層４とを備えており、ウィンドウフィルム１の一方の表面から入射された光は、光制御層４で制御されて他方の表面から出射する。
【００２２】
図１のウィンドウフィルム１は、基材層３の上に配置される光制御層４と、光制御層４の上に配置される接着層５と、基材層３の下に配置されるハードコート層６とを備えている。このウィンドウフィルム１は、接着層５を介して窓または採光具２に積層することが可能である。なお、ウィンドウフィルム１は、一対の窓の間に支持されて積層されてもよく、このような場合には接着層５や基材層３は設けなくてもよい。
【００２３】
光制御層４は、その一方の面に沿って離隔して配置された複数の溝８を有するベース部７と、複数の溝８の内部に形成されてかつベース部７とは異なる光学特性を持つ複数のルーバー部９とを備えている。光学特性とは、例えば、反射特性、吸収特性、透過特性、屈折特性、および発光特性の少なくとも一つである。
【００２４】
ベース部７とルーバー部９との光学特性が異なることで、ウィンドウフィルム１に様々な光制御機能を付与することができる。例えば、ルーバー部９の屈折率をベース部７の屈折率よりも低くすることで、ルーバー部９とベース部７の界面で全反射させ、窓から入射された太陽光を屋内の天井付近に導く光偏向機能を付与することができる。また、ルーバー部９の紫外光、可視光、赤外光などの吸収率や反射率をベース部７よりも高くすることで、太陽光の入射角に応じた光遮蔽機能を付与することができる。また、ルーバー部９の発光率をベース部７よりも高くすることで、指向性発光機能を付与することができる。
【００２５】
具体的には、ベース部７は、光制御層４の一方の面４ａに沿った第１方向Ｘに、それぞれが第１方向Ｘに交差する第２方向Ｙに延びる複数の溝８を母材に形成して作製される。溝８の幅方向および間隔方向が第１方向Ｘで、溝８の深さ方向が第２方向Ｙである。複数の溝８のそれぞれには、ベース部７の母材とは光学特性が異なる充填物が充填されており、これによりルーバー部９が形成されている。ルーバー部９の幅方向および間隔方向が第１方向Ｘで、ルーバー部９の高さ方向が第２方向Ｙである。
【００２６】
このように、光制御層４は、ベース部７と、ベース部７の一方の面４ａ方向に離隔して配置される複数のルーバー部９とを有する。光制御層４は、それぞれ複数のルーバー部９を有する第１領域１０および第２領域１１を備えている。第１領域１０には、複数のルーバー部９が存在しており、第２領域１１にも、複数のルーバー部９が存在している。なお、第１領域１０と第２領域１１とは、所望の光制御機能が異なっていてもよい。
【００２７】
図１の第１領域１０と第２領域１１のいずれにおいても、ルーバー部９は、第１方向Ｘに沿って、例えば一定の間隔で配置されているが、第１領域１０におけるルーバー部９の間隔は、第２領域１１におけるルーバー部９の間隔よりも広くされている。なお、図１では、第１領域１０と第２領域１１におけるルーバー部９の断面形状および断面積がすべて同じである例を示している。
【００２８】
第１領域１０は、採光、遮光、熱線吸収などのウィンドウフィルム１の本来の光制御機能を果たす領域である。したがって、第１領域１０は、例えばウィンドウフィルム１の中央寄りに配置され、その外側に第２領域１１が配置されている。すなわち、第２領域１１は、第１領域１０よりもウィンドウフィルム１の端部側に配置されている。第２領域１１は、ウィンドウフィルム１とその周辺部材との境界が目立たないように、第１領域１０の色と同系色相の色で、かつ第１領域１０の色よりも明度および彩度の少なくとも一方が高い色で着色した領域である。
【００２９】
第１領域１０は、採光、遮光、熱線吸収などの所定の光制御機能を有することが要因となって、所定の色で着色されている。例えば、第１領域１０は、ルーバー部９の材料の色に応じた色に着色されている。第２領域１１は、第１領域１０の色と同系色相の色であり、かつ第１領域１０の色よりも明度および彩度の少なくとも一方が高い色で着色されている。
【００３０】
ここで、同系色相の色とは、アメリカ光学会による修正マンセル表色系にて、有彩色の場合はマンセル色相環の基本１０色相で同一色相およびその隣接色相に属する色を指し、無彩色の場合は同一色相に属する色を指す。第１領域１０と第２領域１１との境界が目立たないようにするには第２領域１１の色を、第１領域１０の色が属する色相と同一色相に属する色にすることが好ましい。色の色相、明度、および彩度は、白色板上のサンプルの色を色票集（Munsell Book of Color）の色と対比して決定することができる。
【００３１】
第１領域１０および第２領域１１は、例えば、各領域内のルーバー部９、ベース部７、およびその他の部材のうち、少なくとも一つの部材の色が支配的となって、それぞれ所定の色に着色される。
【００３２】
例えば、ルーバー部９の材料の色が支配的となって第１領域１０と第２領域１１の色が決まる場合、第２領域１１内に占めるルーバー部９の割合は、第１領域１０内に占めるルーバー部９の割合よりも低いため、第２領域１１は、第１領域１０よりも、ルーバー部９の影響を受けなくなり、明度および彩度の少なくとも一方が高くなる。
【００３３】
このように、第１領域１０と第２領域１１とで、ルーバー部９の断面形状が同じであっても、例えばルーバー部９の間隔を変えることで、明度および彩度の少なくとも一方に差異を持たせることができる。
【００３４】
なお、第１領域１０と第２領域１１とで、明度および彩度の少なくとも一方に差異を持たせる手法には種々の手法が考えられる。
【００３５】
例えば、図１では、第１領域１０と第２領域１１とで、ルーバー部９の断面形状と断面積を共通にしたが、図２に示すように、第１領域１０と第２領域１１とで、ルーバー部９の断面形状を変えてもよい。図２の例では、第２領域１１内のルーバー部９の断面積が第１領域１０内のルーバー部９の断面積よりも小さい例を示している。なお、図２では、第１方向Ｘに隣接するルーバー部９の間隔は、第１領域１０と第２領域１１で共通にしているが、領域ごとに間隔を変えてもよい。
【００３６】
図２の場合、第１領域１０内に第２領域１１内よりも断面積の大きなルーバー部９を設けることで、第２領域１１内のルーバー部９の割合を第１領域１０内のルーバー部９の割合よりも低くでき、図１と同様に、第２領域１１の明度および彩度の少なくとも一方を、第１領域１０よりも高くすることができる。
【００３７】
あるいは、図３に示すように、第１領域１０と第２領域１１とで、ルーバー部９の第２方向Ｙの高さを相違させてもよい。図３の例では、第２領域１１内のルーバー部９の第２方向Ｙの高さを、第１領域１０内のルーバー部９の高さよりも低くしている。ルーバー部９の第１方向Ｘの間隔は、第１領域１０と第２領域１１で共通にしているが、領域ごとに間隔を変えてもよい。
【００３８】
図３の場合も、図１や図２と同様に、第２領域１１内のルーバー部９の占める割合が第１領域１０よりも低くなり、第２領域１１の明度および彩度の少なくとも一方を第１領域１０よりも高くすることができる。
【００３９】
図１〜図３はいずれも、第２領域１１内のルーバー部９の占める割合を第１領域１０よりも低くしているが、例えば、第１領域１０と第２領域１１で、ルーバー部９の占める割合が同じであったとしても、ルーバー部９の材料の色を互いに相違させることで、第１領域１０の色と第２領域１１の色が同系色相で、かつ第２領域１１の色の明度および彩度の少なくとも一方を第１領域１０の色よりも高くすることができる。
【００４０】
例えば、ウィンドウフィルム１にベース部７とルーバー部９の屈折率差による光偏向機能を付与する場合に、反射されなかった光を遮蔽するために、ルーバー部９に無機粒子材やミラー材などの光反射材や光吸収材を含有させることが考えられる。この場合に、第２領域１１内のルーバー部９に含有させる光反射材や光吸収材の量を第１領域１０内のルーバー部９よりも少なくすることができる。また、ウィンドウフィルム１に光遮蔽機能を付与する場合にも、ルーバー部９に、赤外光吸収材、紫外光吸収材、可視光吸収材などの光吸収材を含有させることが考えられる。この場合に、第２領域１１内のルーバー部９に含有させる光吸収材の量を第１領域１０内のルーバー部９よりも少なくすることができる。また、ウィンドウフィルム１の第２領域１１内のルーバー部９に含有させる蓄光発光材の量を第１領域１０内のルーバー部９よりも少なくすることができる。このように、第１領域１０と第２領域１１とで、ルーバー部９の構成材料を同じにして、各材料の構成比や含有量を調整することでも、明度および彩度の少なくとも一方を相違させ、ひいては可視光透過率を相違させることができる。
【００４１】
図４は本実施形態に係るウィンドウフィルム１の平面図である。図４に示すように、第１領域１０は、例えばウィンドウフィルム１の中央寄りに設けられ、第２領域１１は、第１領域１０を取り囲むように、ウィンドウフィルム１の端部側に配置されている。
【００４２】
ウィンドウフィルム１は、窓または採光具２に積層されるが、ウィンドウフィルム１の端部側には、明度および彩度の少なくとも一方が高い第２領域１１が配置されているため、下地の窓または採光具２との境界が目立ちにくくなる。すなわち、窓または採光具２は、明度および彩度の少なくとも一方が高いガラス等の材料で形成されていることが多いため、同様の色合いを持つ第２領域１１との区別がつきにくくなって、境界が目立ちにくくなる。なお、ウィンドウフィルム１が積層される窓または採光具が無色透明な場合、ウィンドウフィルムと窓または採光具との境目を目立たなくするには、第２領域１１は、第１領域１０よりも可視光透過率を高くして透明性を上げることが好ましい。可視光透過率は、角度分解型分光光度計（例えば、村上色彩技術研究所製の変角分光測色システムＧＣＭＳ４、測定面積が約８ｍｍ×約１６ｍｍ）を用いて、サンプル（例えば、１０ｃｍ×１０ｃｍ）の表面側の法線方向（０度方向）から入射した光を裏面側の法線方向（１８０度方向）で受光して測定する。可視光とは、波長範囲が３８０ｎｍから７８０ｎｍの光である。
【００４３】
第１領域１０と第２領域１１の割合は、例えば、ウィンドウフィルム１の９８％以下を第１領域１０とし、残りを第２領域１１とすることが考えられる。具体的には、１ｍ×１ｍのウィンドウフィルム１で対向する２辺の端部からそれぞれ１ｃｍ以上ずつ内側までの領域を第２領域１１として、残りを第１領域１０とすることが考えられる。第１領域１０は、第２領域１１よりも単位体積当たりのルーバー部９の割合が多く、ウィンドウフィルム１としての本来の機能（例えば、採光、遮光、熱線吸収など）を果たすものであり、第１領域１０が１０％を切るのは望ましくない。好ましくは５０％以上、より好ましくは７５％以上である。
【００４４】
その一方で、第２領域１１は、下地の窓や採光具２との境目をできるだけ目立たせなくすることを目的とした領域であり、第２領域１１が２％を切ると、第２領域１１を間に挟んで配置される第１領域１０と下地の窓や採光具２との距離が接近し、第２領域１１と下地の窓や採光具２との境目が目立ちやすくなるおそれがある。そのため、第２領域１１は、ウィンドウフィルム１の好ましくは２％以上、より好ましくは５％以上である。また、第２領域１１は、大き過ぎるとウィンドウフィルム１としての本来の機能を果たす第１領域１０が狭くなってしまうので、５０％以下であることが好ましく、より好ましくは２５％以下である。
【００４５】
なお、ウィンドウフィルム１が積層される窓または採光具が無色透明な場合、第１領域１０と同系色相で着色された第２領域１１との境界が目立ってしまうおそれがある。このような場合、図５の平面図に示すように、第２領域１１をウィンドウフィルム１の端部よりも少し内側に配置して、第２領域１１とウィンドウフィルム１の端部との間に、無着色の第３領域１２を配置してもよい。
【００４６】
第３領域１２を無色にするには、例えば、第３領域１２内にルーバー部９を設けないようにし、かつ基材層、ベース部７、接着層およびハードコート層の各材料を、透明性の高い材料にすればよい。すなわち、この場合、ルーバー部９の構成材料の色によって、第１領域１０と第２領域１１を着色することになる。
【００４７】
なお、第３領域１２を無色にする場合、第２領域１１と第３領域１２との境界が目立ってしまうおそれがある。そこで、第２領域１１内の色を、第１領域１０に近い側から第３領域１２に近い側に向かって、連続的または段階的に変化させて、第１領域１０に近い側では第１領域１０の色に近づけて、第３領域１２に近い側では無色に近い色にするのが望ましい。
【００４８】
このように、第２領域１１内の色を連続的または段階的に変化させる、いわゆるグラデーション色処理を施すには、例えば図６に示すように、第２領域１１内のルーバー部９の第１方向Ｘにおける間隔を徐々に変化させればよい。図６の場合、第１領域１０に近い側ほど、ルーバー部９の間隔を狭くし、第３領域１２に近い側ほど、ルーバー部９の間隔を広げている。これにより、第２領域１１内の第１領域１０に近い側では、第１領域１０に近い明度および彩度の色で着色され、第２領域１１内の第３領域１２に近い側では、無色に近い色で着色される。
【００４９】
あるいは、図７に示すように、第２領域１１内のルーバー部９の深さ方向（第２方向Ｙ）の長さを徐々に変化させてもよい。図７の場合、第１領域１０に近い側ほど、ルーバー部９の深さを深くし、第３領域１２に近い側ほど、ルーバー部９の深さを浅くしている。これにより、図６と同様のグラデーション色処理が実現される。
【００５０】
第２領域１１の色を段階的に変化させる方法としては、同系色相に属する色の範囲内で、色相、明度および彩度の少なくともいずれか一つを変えればよい。この場合、変化を明確にするために、色相値、明度値、および彩度値の少なくとも一つの値は１以上異なることが好ましい。さらに、後述のように、第２領域１１内のルーバー部９に含まれる着色材の量を徐々に増減して、第２領域１１の色を段階的に変化させることで、例えば第１領域１０から離れた位置ほど、可視光透過率を高めることができる。
【００５１】
なお、図４のように、ウィンドウフィルム１内に第１領域１０と第２領域１１が設けられ、第３領域１２が設けられていない場合においても、第２領域１１にグラデーション色処理を施してもよい。すなわち、第２領域１１内の第１領域１０に近い側は、第１領域１０の色に近い色で着色し、第１領域１０から離れるに従ってウィンドウフィルム１に隣接配置される部材の色に近い色で着色してもよい。この場合も、第２領域１１内のルーバー部９の間隔、深さ、幅の少なくとも一つを調整することで、グラデーション色処理が実現される。
【００５２】
また、図４や図５の第１領域１０にも、グラデーション色処理を施してもよい。この場合、第１領域１０内の第２領域１１に近い側は、第２領域１１の色に近い色で着色すればよい。そのためには、第１領域１０内のルーバー部９の間隔、深さ、幅の少なくとも一つを調整すればよい。
【００５３】
図８は第１領域１０と第２領域１１との間にさらに第４領域１３を設けた例を示す平面図である。第４領域１３は、第１領域１０および第２領域１１と同系色相の色で、かつ第１領域１０の色よりも明度および彩度の少なくとも一方が高く、かつ第２領域１１の色よりも明度および彩度の少なくとも一方が低い色で着色されている。
【００５４】
第４領域１３には、上述したグラデーション色処理が施される。より具体的には、第４領域１３内のルーバー部９の間隔、深さ、幅の少なくとも一つを第１領域１０に近い側から第２領域１１に近い側にかけて、段階的または連続的に変化させて、第１領域１０に近い側では第１領域１０に近い色に着色し、第２領域１１に近い側では第２領域１１に近い色で着色する。
【００５５】
第１領域１０と第２領域１１との色の違いが比較的大きい場合は、図８のように第４領域１３を設けることで、第１領域１０の色から第２領域１１の色まで徐々に変化させることができ、各領域間の境界が目立たなくなる。
【００５６】
特に、窓や採光具２の全面に積層されたウィンドウフィルム１が壁材に隣接配置されている場合、壁材の色によっては、ウィンドウフィルム１と壁材との境界が目立ってしまう。そこで、ウィンドウフィルム１の端部側に配置される第２領域１１は、ウィンドウフィルム１に隣接配置される部材（例えば、壁材）の色に合わせるのが望ましい。この場合、第２領域１１の色と第１領域１０の色との違いが大きくなってしまうおそれがあるため、図８の第４領域１３を設けて、第１領域１０から第２領域１１にかけて、徐々に色を変化させるのが望ましい。
【００５７】
上述した実施形態では、ウィンドウフィルム１内の矩形状の第１領域１０の４辺を取り囲むように第２領域１１を配置する例を示したが、第２領域１１は、第１領域１０の少なくとも一辺に接していていればよく、また、第２領域１１の少なくとも一部がウィンドウフィルム１の端部側に配置されていればよい。さらに、上述した第１〜第４領域１１〜１４は、必ずしも矩形状である必要はなく、任意の形状を取り得る。
【００５８】
次に、本実施形態に係るウィンドウフィルム１の構成材料および製造工程について説明する。ベース部７を製造するための組成物としては、例えば、光硬化性プレポリマーと、反応性希釈モノマーと、金型離型剤と、光重合開始剤とを混合して均一化したものが用いられる。基材としては、例えばＰＥＴ（ポリエチレンテレフタレート）フィルムが用いられる。
【００５９】
ベース部７に、図１に示すような溝８を形成するために、例えば金型ロールが用いられる。金型ロールの表面は、溝８の形状に合わせてバイトにより切削されて、各溝８の形状に対応する複数の凸部が形成される。このとき、第２領域１１内のルーバー部９に対応する凸部の間隔は、第１領域１０内のルーバー部９に対応する凸部の間隔よりも広くされている。
【００６０】
凸部が形成された金型ロールとニップロールの間に基材が搬送されて、基材層３の上に上述したベース部７の組成物が供給される。そして、金型ロールとニップロールの押圧力により、基材層３と金型ロールとの間にベース部７の組成物を充填し、その後、基材層３の方向から高圧水銀灯により紫外線を照射してベース部７の組成物を硬化させて、ベース部７が形成される。その後、剥離ローラにより、金型ローラからベース部７を離型し、ベース部７を含む中間部材を作製する。
【００６１】
ベース部７の溝８に充填される充填物として、例えば、光硬化性プレポリマーと、反応性希釈モノマーと、光散乱材と、光重合開始剤とを混合して均一化した組成物を光硬化したものが用いられる。
【００６２】
上述した組成の充填物は、中間部材上に供給されて、溝８の内部に充填されるとともに、余剰分の充填物は掻き落とされる。その後、高圧水銀灯により紫外線を照射して硬化させて、ルーバー部９が形成される。
【００６３】
接着層５の組成物は、例えば、アクリル系樹脂の粘着材と、架橋剤と、希釈剤とを混合して形成される。この接着剤の組成物を離型フィルムに塗布して乾燥させた後、光制御層４に貼り合わされる。
【００６４】
上述した実施形態では、ウィンドウフィルム１内に、ルーバー部９を設けて何らかの光制御機能を持たせる例を説明したが、本実施形態は、ウィンドウフィルム１に単位プリズムを設けて光制御機能を実現する場合にも適用可能である。
【００６５】
図９は第１変形例に係るウィンドウフィルム１の断面構造を示す図である。図９のウィンドウフィルム１は、光制御層である本体部２１の上面に、多数の単位プリズムが形成されたプリズム面２２が設けられている。このプリズム面２２に入射された光は、単位プリズムにて反射または屈折されて、光の進行方向が変えられる。
【００６６】
単位プリズムは、プリズム面２２に対して傾斜した角度を持つ第１面２２ａ及び第２面２２ｂと、を有している。図９のウィンドウフィルム１は、第１面２２ａ及び第２面２２ｂの一方から単位プリズムに入射された光を、当該単位プリズムの第１面２２ａ及び第２面２２ｂの他方で反射させることにより、太陽光の進行方向を変化させ且つ当該太陽光がウィンドウフィルム１を透過することを可能にする。
【００６７】
プリズム面２２は、例えば図４と同様に、第１領域１０と第２領域１１に分かれており、第１領域１０と第２領域１１では、単位プリズムの形状や間隔等が異なっている。あるいは、第１領域１０内の単位プリズムと第２領域１１内の単位プリズムとの充填材料やその充填量を変えることで、第１領域１０内の単位プリズムの色と第２領域１１内の単位プリズムの色とを相違させることができる。より具体的には、第１領域１０と第２領域１１とが同系色相で、かつ第２領域１１の明度および彩度の少なくとも一方が第１領域１０よりも高くなるように、各単位プリズムが着色される。あるいは、単位プリズムの代わりに、本体部２１に着色材を含有させて、各領域ごとに着色材の含有量を変えることで、領域ごとの色を相違させてもよい。
【００６８】
ウィンドウフィルム１の第２変形例として、赤外線を吸収する赤外線吸収層の材料を領域によって変えることで、各領域ごとに色を変えてもよい。
【００６９】
図１０は第２変形例に係るウィンドウフィルム１の断面構造を示す図である。図１０のウィンドウフィルム１は、基材層３１の上に積層される光制御層である熱線吸収層３２と、熱線吸収層３２の上に積層される表面保護層３３とを備えている。
【００７０】
熱線吸収層３２には、赤外光領域に吸収特性を有し、且つ、可視光領域に透過特性を有する粒子からなる熱線吸収材が含有されている。具体的には、熱線吸収材として、透明性を有する無機ナノ粒子を用いることができ、例えば、アンチモン錫酸化物（ＡＴＯ） 、インジウム錫酸化物（ＩＴＯ）、六ホウ化ランタン（ＬａＢ６）、アルミニウムドープ酸化亜鉛、インジウムドープ酸化亜鉛、ガリウムドープ酸化亜鉛、酸化タングステン、六ホウ化セリウム、無水アンチモン酸亜鉛および硫化銅またはそれらの混合物のナノ粒子等を用いることができる。
【００７１】
熱線吸収材の含有量を第１領域１０と第２領域１１とで相違させることで、第２領域１１の明度および彩度の少なくとも一報を、第１領域１０よりも高くすることができる。
【００７２】
このように、本実施形態では、ウィンドウフィルム１内に第１領域１０と第２領域１１を設けて光制御機能を持たせ、第２領域１１を、第１領域１０と同系色相で、かつ第１領域１０の色よりも明度および彩度の少なくとも一方が高い色で着色するため、ウィンドウフィルム１とその周辺部材との境界が目立たなくなり、外観を損ねるおそれがなくなる。
【００７３】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００７４】
１  ウィンドウフィルム、２  窓または採光具、３  基材層、４  光制御層、５  接着層、６  ハードコート層、７  ベース部、８  溝、９  ルーバー部、１０  第１領域、１１  第２領域、１２  第３領域、１３  第４領域、２１  本体部、２２  プリズム面、３１  基材層、３２  熱線吸収層、３３  表面保護層
【図１】
2015040993.tif 000003
【図２】
2015040993.tif 000004
【図３】
2015040993.tif 000005
【図４】
2015040993.tif 000006
【図５】
2015040993.tif 000007
【図６】
2015040993.tif 000008
【図７】
2015040993.tif 000009
【図８】
2015040993.tif 000010
【図９】
2015040993.tif 000011
【図１０】
2015040993.tif 000012